(57)【要約】【課題】底部前方側に設けた転動手段によって家具の転倒を防止した転倒防止家具において、床面との間に隙間が形成されないようにすることにある。【解決手段】転倒防止家具Ａは、家具本体１と、家具本体１の底部前方側に設けられ、家具本体１が前方に傾くことで床面Ｇに対し転動可能になる車輪２，２と、上記家具本体１と床面Ｇとの間の隙間を閉塞する隙間閉塞体３と、を備えている。隙間閉塞体３は、上記家具本体１が前方に傾いて上記車輪２,２が床面Ｇに対し転動可能になることを妨げないように構成されている。【選択図】図１
0003122069.tif 000002
【実用新案登録請求の範囲】
【請求項１】
家具本体(1)と、少なくとも該家具本体(1)の底部前方側に設けられ、該家具本体(1)が前方に傾くことで床面(G)に対し転動可能になる転動手段(2)と、上記家具本体(1)と床面(G)との間の隙間を閉塞する隙間閉塞体(3)(3a)と、を備えており、
該隙間閉塞体(3)(3a)は、上記家具本体(1)が前方に傾いて上記転動手段(2)が床面(G)に対し転動可能になることを妨げないように構成されている、
転倒防止家具。
【請求項２】
家具本体(1)と、少なくとも該家具本体(1)の底部前方側に設けられ、該家具本体(1)が前方に傾くことで床面(G)に対し転動可能になる転動手段(2)と、上記家具本体(1)と床面(G)との間の隙間を閉塞する隙間閉塞体(3)(3a)と、を備えており、
該隙間閉塞体(3)(3a)は、上記家具本体(1)が前方に傾いて上記転動手段(2)が床面(G)に対し転動可能になることを妨げないように、少なくとも接地面側(32)(32a)または全体が変形可能に形成されているか、または上記家具本体(1)に対して移動可能に形成されているか、あるいは家具本体(1)側から外れるように構成されている、
転倒防止家具。
【請求項３】
家具本体(1)と、少なくとも該家具本体(1)の底部前方側であって該家具本体(1)の幅方向両端側にそれぞれ設けてあり、該家具本体(1)が前方に傾くことで床面(G)に対し転動可能になる転動手段(2)と、上記家具本体(1)と床面(G)との間の隙間を閉塞する隙間閉塞体(3)(3a)と、を備えており、
上記転動手段(2)は車輪(2)であり、該車輪(2)は家具本体(1)が前方に傾いていないときには床面(G)に接地しておらず、該家具本体(1)が前方に傾いたときに床面(G)に対し転動可能となって家具本体(1)の下部を家具本体(1)の上部の移動した側へ追従させるように構成されており、
該隙間閉塞体(3)(3a)は、上記家具本体(1)が前方に傾いて上記転動手段(2)が床面(G)に対し転動可能になることを妨げないように、少なくとも接地面側(32)(32a)または全体が変形可能に形成されているか、または上記家具本体(1)に対して移動可能に形成されているか、あるいは家具本体(1)側から外れるように構成されている、
転倒防止家具。
【請求項４】
隙間閉塞体(3)は、その全体または一部を家具本体(1)に対して取り外すことができるように形成されており、該隙間閉塞体(3)の全部または一部を取り外すと、家具本体(1)を前方に傾けた状態で転動手段(2)で転動させながら別の場所へ移動させることができるように構成されている、
請求項１ないし３のいずれかに記載の転倒防止家具。
【請求項５】
請求項１ないし４のいずれかに記載の転倒防止家具を構成する転倒防止装置であって、
家具本体(1)に着脱自在に取り付けできるように構成されており、少なくとも転動手段(2)と、隙間閉塞体(3)(3a)と、を備えている、
転倒防止装置。
【考案の詳細な説明】
【技術分野】
【０００１】
本考案は、転倒防止家具及び転倒防止装置に関する。
更に詳しくは、底部前方側に設けた転動手段によって家具の転倒を防止した転倒防止家具において、床面との間に隙間が形成されないようにしたもの等に関する。
【背景技術】
【０００２】
従来より、地震発生時に家具の転倒を防止できるようにした転倒防止家具として、例えば特許文献１に提案されているものがある。この転倒防止家具（以下、単に「家具」という場合がある）は、家具本体の底部前端にキャスターを備えており、地震発生時の揺れで家具本体が前方に傾いたときに転動するように構成されている。
【０００３】
そして、実際に地震が起こった場合、部屋の壁面に当接した状態で置かれた家具は、壁面から弾かれるようにして前方に倒れようとする。しかし、家具の上部がある程度前方へ傾くと、上記キャスターが転動可能となって家具の下部が上部の移動した側へ追従して移動し、その結果、家具はバランスの取れた状態に戻り、転倒が防止される。
【特許文献１】特開平９−６５９４７号公報（第１図ないし第３図）
【考案の開示】
【考案が解決しようとする課題】
【０００４】
しかしながら、上記したような従来の転倒防止家具では次のような課題があった。
即ち、特許文献１記載の第１図及び第２図に示すように、家具本体底部前端は全幅に渡ってテーパー状に形成され、角部を無くしてある。これにより、家具本体が前方に傾いたときに、底部前端の角部が床面に当たらないようにして、キャスターの転動が妨げられないようにしてある。
【０００５】
このため、家具本体の底部と床面の間には必然的に隙間ができており、この隙間（特にキャスターとキャスターの間）にゴミや埃などが溜まりやすく、またゴキブリやネズミ等の巣になりやすかった。
【０００６】
（本考案の目的）
そこで本考案の目的は、底部前方側に設けた転動手段によって家具の転倒を防止した転倒防止家具において、床面との間に隙間が形成されないようにすることにある。
【０００７】
また本考案の他の目的は、通常の設置状態で、家具本体が転動手段によって前にずれ動くような恐れを防止して転倒防止家具の安全性を高めることにある。
【０００８】
更に本考案の他の目的は、上記目的に加え、部屋の配置換えや引っ越し時の転倒防止家具の移動が少ない労力で容易にできるようにすることにある。
【０００９】
また更に本考案の他の目的は、今まで使用していた愛着のある既存の家具を転倒防止家具として引き続き使用することができるようにすることにある。
【課題を解決するための手段】
【００１０】
上記目的を達成するために本考案が講じた手段は次のとおりである。
なお、後述する作用の説明の理解を助けるため、図面において使用した符号を括弧を用いて記載しているが、各構成要件を図面記載のものに限定するものではない。
【００１１】
本考案は、家具本体(1)と、少なくとも該家具本体(1)の底部前方側に設けられ、該家具本体(1)が前方に傾くことで床面(G)に対し転動可能になる転動手段(2)と、上記家具本体(1)と床面(G)との間の隙間を閉塞する隙間閉塞体(3)(3a)と、を備えており、該隙間閉塞体(3)(3a)は、上記家具本体(1)が前方に傾いて上記転動手段(2)が床面(G)に対し転動可能になることを妨げないように構成されている、転倒防止家具である。
【００１２】
本考案は、家具本体(1)と、少なくとも該家具本体(1)の底部前方側に設けられ、該家具本体(1)が前方に傾くことで床面(G)に対し転動可能になる転動手段(2)と、上記家具本体(1)と床面(G)との間の隙間を閉塞する隙間閉塞体(3)(3a)と、を備えており、該隙間閉塞体(3)(3a)は、上記家具本体(1)が前方に傾いて上記転動手段(2)が床面(G)に対し転動可能になることを妨げないように、少なくとも接地面側(32)(32a)または全体が変形可能に形成されているか、または上記家具本体(1)に対して移動可能に形成されているか、あるいは家具本体(1)側から外れるように構成されている、転倒防止家具である。
【００１３】
本考案は、家具本体(1)と、少なくとも該家具本体(1)の底部前方側であって該家具本体(1)の幅方向両端側にそれぞれ設けてあり、該家具本体(1)が前方に傾くことで床面(G)に対し転動可能になる転動手段(2)と、上記家具本体(1)と床面(G)との間の隙間を閉塞する隙間閉塞体(3)(3a)と、を備えており、上記転動手段(2)は車輪(2)であり、該車輪(2)は家具本体(1)が前方に傾いていないときには床面(G)に接地しておらず、該家具本体(1)が前方に傾いたときに床面(G)に対し転動可能となって家具本体(1)の下部を家具本体(1)の上部の移動した側へ追従させるように構成されており、該隙間閉塞体(3)(3a)は、上記家具本体(1)が前方に傾いて上記転動手段(2)が床面(G)に対し転動可能になることを妨げないように、少なくとも接地面側(32)(32a)または全体が変形可能に形成されているか、または上記家具本体(1)に対して移動可能に形成されているか、あるいは家具本体(1)側から外れるように構成されている、転倒防止家具である。
【００１４】
本考案は、上記隙間閉塞体(3)がその全体または一部を家具本体(1)に対して取り外すことができるように形成されており、該隙間閉塞体(3)の全部または一部を取り外すと、家具本体(1)を前方に傾けた状態で転動手段(2)で転動させながら別の場所へ移動させることができるように構成されている、転倒防止家具である。
【００１５】
本考案は、上記いずれかに記載の転倒防止家具を構成する転倒防止装置であって、家具本体(1)に着脱自在に取り付けできるように構成されており、少なくとも転動手段(2)と、隙間閉塞体(3)(3a)と、を備えている、転倒防止装置である。
【００１６】
（作  用）
本考案は、次のように作用する。
転倒防止家具の通常の設置状態では、隙間閉塞体(3)(3a)が家具本体(1)と床面(G)との間の隙間を閉塞して、隙間が形成されないようにする。
また地震の発生等により家具本体(1)が前方に傾くと、上記隙間閉塞体(3)(3a)によって妨げられることなく転動手段(2)が床面(G)に対して転動し、その結果、転倒防止家具の転倒は防止される。
【００１７】
転動手段が車輪(2)であり、該車輪(2)が家具本体(1)が前方に傾いていないときには床面に接地していないものは、地震の発生等により家具本体(1)が前方に傾く際に車輪(2)が床面(G)に接地して転動し、転倒防止家具の転倒が防止される。
【００１８】
隙間閉塞体(3)(3a)がその全体または一部を家具本体(1)に対して取り外すことができるように形成されているものは、例えば部屋の配置換えや引っ越し時のときに、隙間閉塞体(3)(3a)の全部または一部を取り外すようにする。そうして、家具本体(1)を前方に斜めに傾けた状態で、転動手段(2)を転動させながら、転倒防止家具を別の場所へ移動させる。このようにすれば、転倒防止家具の移動が少ない労力で容易にできる。
【００１９】
転倒防止家具を構成する転倒防止装置であって、家具本体(1)に着脱自在に取り付けできるように構成されており、少なくとも転動手段(2)と、隙間閉塞体(3)(3a)と、を備えているものでは、転倒防止装置を今まで使用していた既存の家具に取り付ければ、愛着のある既存の家具を引き続き使用できる。
【考案の効果】
【００２０】
（ａ）本考案によれば、通常の設置状態では、隙間閉塞体によって家具本体と床面との間に隙間が形成されないようにする。これにより、家具本体の下方にゴミや埃が入り込んで溜まってしまうということはなく、またゴキブリやネズミ等の巣になることも防止される。
【００２１】
（ｂ）更に本考案によれば、家具本体が前方に傾いて転動手段が床面に対し転動可能になることを妨げないように隙間閉塞体が構成されている。したがって、地震の発生等により家具本体が前方に傾くと、上記隙間閉塞体によって妨げられることなく転動手段が床面に対して転動し、転倒防止家具の転倒が防止される。
【００２２】
（ｃ）転動手段が車輪であり、該車輪が家具本体が前方に傾いていないときには床面に接地していないものは、通常の設置状態では、車輪が床面に対し転動する恐れがないので、家具本体が前にずれ動くような可能性もなく、転倒防止家具の安全性が高い。
【００２３】
（ｄ）隙間閉塞体がその全体または一部を家具本体に対して取り外すことができるように形成されているものは、隙間閉塞体の全部または一部を取り外すことで、家具本体を前方に斜めに傾けた状態で、転動手段を転動させながら、転倒防止家具を別の場所へ移動させることができる。したがって、部屋の配置換えや引っ越し時の家具の移動が少ない労力で容易にできる。しかも、隙間閉塞体の全体または一部は取り外せるので、その部分が床面の埃で汚れることもなく、またその部分で床面を傷つけることも防止できる。
【００２４】
（ｅ）転倒防止家具を構成する転倒防止装置であって、家具本体に着脱自在に取り付けできるように構成されており、少なくとも転動手段と、隙間閉塞体と、を備えているものでは、今まで使用していた既存の家具に転倒防止装置を取り付けて転倒防止家具とすることができ、愛着のある既存の家具を引き続き使用することができるという利点がある。
【考案を実施するための最良の形態】
【００２５】
転倒防止家具の家具の種類としては、箪笥（洋服ダンス、和ダンス等）、食器棚、書棚、靴箱、ロッカー、キャビネット等といった収容家具の他、ドレッサー、鏡台、テレビボード、リビングボード、サイドボード等を挙げることができる。
【００２６】
転動手段としては、車輪、ローラ、キャスター等を挙げることができる。なお、この転動手段は少なくとも家具本体の底部前方側に設けられるが、合わせてそれ以外の箇所に設けることもできる。
【００２７】
また転動手段は、転倒防止家具が通常の設置状態（家具本体が前方に傾いていない状態）のときに床面に接地していないことが好ましい。これにより、通常の設置状態のときに、転動手段が転動して転倒防止家具がずれ動く恐れを確実に防止できる。
なお、転倒防止家具の通常の設置状態でも床面に接地しているものの転動せず、家具本体が前方に傾かないと転動しないように、上記転動手段を構成することもできる。その一つの具体例として、転動手段を車輪で構成し、その車輪をコイルバネ等の付勢手段によって床面側へ付勢させ、転倒防止家具の通常の設置状態で床面に軽く接するように構成する。ただし、この状態では床面に軽く接するものの、車輪は転動しない。そして、家具本体が前方に傾くことでコイルバネが縮むと共に、荷重がかかった車輪が床面に強く当接する。これによって、車輪が転動可能になり、転倒防止家具の転倒を防止する。
【００２８】
なお、以上の具体例はあくまで代表的なものであり、特にこれらに限定するものではない。
【００２９】
以下、本考案を実施例により説明するが、本考案はこれらに限定されるものではない。
【００３０】
本考案を図面に示した実施例に基づき更に詳細に説明する。
【実施例１】
【００３１】
図１ないし図３は、本考案に係る転倒防止家具の第１の実施例を説明するための図である。
図１は、転倒防止家具の斜視説明図、
図２は、転倒防止家具が前方に傾いた状態の作用を説明する側面視概略説明図であって、転倒防止家具の車輪を含んだ底面側を断面して表している。
【００３２】
図３は、転倒防止家具の車輪を含む底部前方側を拡大した側面視断面説明図である。
そのうち、図３(ａ)は転倒防止家具が前方に傾いていない通常の設置状態を示しており、図３(ｂ)は転倒防止家具が前方に傾いた状態を示している。
【００３３】
図１に示すように、本実施例では、転倒防止家具Ａとして箪笥を例に挙げて説明する。
なお、本実施例で説明する前後方向は、箪笥の正面側と背面側を基にしている。
【００３４】
図１に示す転倒防止家具Ａは、家具本体である箪笥本体１と、箪笥本体１の底部前方側に設けてある転動手段である車輪２，２を有している。
【００３５】
車輪２は、箪笥本体１の底部前方側であって、箪笥本体１の幅方向の左右両端側に所要数（本実施例では一箇所ずつ、合計複数、二箇所に）設けてある。図２に示すように、車輪２，２は、箪笥本体１が前方に傾くことで床面Ｇに対し転動可能になるように構成されている。また図３(ａ)に示すように、転倒防止家具Ａの通常の設置状態では、車輪２は床面Ｇとは接触していない。
【００３６】
更に転倒防止家具Ａは、箪笥本体１と床面Ｇとの間の隙間を閉塞して、隙間が形成されないようにする隙間閉塞体３（図３(ａ)も参照）を備えている。この隙間閉塞体３は、図３(ｂ)に示すように、箪笥本体１が前方に傾いて車輪２が転動可能になることを妨げないように構成されている。
以下、転倒防止家具Ａの各構成部分について、順を追って詳しく説明する。
【００３７】
図１に示すように、箪笥本体１は、両開き（観音開き）の扉１１と、扉１１の下方に所要の段数の引き出し１２（本実施例では複数、二段）を備えている。更に箪笥本体１の底部には、箪笥本体１を支える台部材である台輪４が設けられている。
【００３８】
図１及び図２に示すように、台輪４は、車輪２後方に位置する前壁部４１の他、箪笥本体１の奥行き方向のほぼ全長にわたって設けてある左側壁部４２及び右側壁部４３と、箪笥本体１の横幅のほぞ全長にわたって設けてある後壁部４４と、を備えている。
【００３９】
各前壁部４１、左側壁部４２、右側壁部４３及び後壁部４４は、木製の板体で形成されている。なお、木製の板体以外の材料で形成することもできる。例えばプラスチック、硬質ゴム、金属材料やそれらを組み合わせたもの等、またはそれらの表面に化粧板を貼ったもの、あるいはその他の材料で形成することができる。
【００４０】
図１に示す前壁部４１は、上記したように車輪２よりも後方に設けてあるが、箪笥本体１の前方寄りに位置し、通常の設置状態で転倒防止家具Ａが前方に倒れることはない。
【００４１】
また、前壁部４１が車輪２よりも後方に設けてあることで、左側壁部４２及び右側壁部４３の先部側は、前壁部４１よりも先方へ張り出したような位置関係となっている。この張り出し部分の先端部の間であって、箪笥本体１の横幅方向に沿って隙間閉塞体３の一部を構成する隙間閉塞壁３１（図３(ａ)も参照）が設けてある。隙間閉塞壁３１は木製の板体で形成されている。
【００４２】
そして、上記した車輪２，２は、左側壁部４２及び右側壁部４３の各先方側、前壁部４１及び隙間閉塞壁３１で囲まれた中に配置されている。本実施例では、図３(ａ)に示すように、車輪２は箪笥本体１の底部の所要の位置に、木ねじ等の締付固定具２１で固定されている。車輪２の取り付け方は、その他の公知の技術が好適に採用できる。なお、車輪２は、転倒防止家具Ａの荷重を支えることができる強度を有している。
【００４３】
図１に示すように、左側壁部４２の先部側下方には、床面Ｇから所要の高さでＬ形状に切り欠くようにして切欠部４２１（右側壁部４３の切欠部４３１は、図３(ａ)参照）が形成されている。また図３(ａ)に示すように、右側壁部４３の先部側下方についても、切欠部４３１が同様にして形成されている。
【００４４】
また隙間閉塞壁３１の高さ方向の長さ（箪笥本体１の底板１４からの長さ）は、前壁部４１のそれよりも短く、隙間閉塞壁３１の下端部３１１は床面Ｇと離れている。以上のような構成により、図３(ｂ)に示すように箪笥本体１が前方に傾くと、上記各切欠部４２１，４３１の先方側と隙間閉塞壁３１の下端部３１１が床面Ｇに接触する前に、車輪２が床面Ｇと当接するので、車輪２の転動は妨げられない。
【００４５】
そして、図１及び図３(ａ)に示すように、各切欠部４２１，４３１の下部と、隙間閉塞壁３１の下部には、変形性を有する隙間閉塞部である変形性閉塞部３２が取り付けてある。変形性閉塞部３２は、ポリウレタンフォーム等の変形性を有する合成樹脂によって形成されている。図１に示すように、変形性閉塞部３２は平面視略「コ」状に形成され、左側壁部４２、隙間閉塞壁３１及び右側壁部４３と接着剤による接着によって取り付けてある。
【００４６】
図３(ａ)に示すように、変形性閉塞部３２は、各切欠部４３１, ４２１（切欠部４２１は表れず）と床面Ｇの間、及び隙間閉塞壁３１の下端部３１１と床面Ｇの間に隙間が形成されないように、床面Ｇと接触した状態で取り付けてある。この変形性閉塞部３２は、上記した隙間閉塞壁３１と共に、隙間閉塞体３を構成する。この隙間閉塞体３によって、車輪２,２は転倒防止家具Ａの前方から隠れて現れず、収容家具としての美観は損なわれない。
【００４７】
また変形性閉塞部３２の表面を箪笥本体１と同系色の化粧材（図示省略）で覆ったり、同系色の塗料で塗装したりすることもできる。なお、化粧材を使用する場合は、変形性閉塞部３２の変形を妨げない材料（例えば薄い木の板、紙製材料、合成樹脂製のシートやフィルム等）が使用できる。
【００４８】
また前壁部４１、左側壁部４２、右側壁部４３及び後壁部４４、隙間閉塞壁３１を木製の板体以外の材料で形成することもできる。例えばプラスチック、硬質ゴム、金属材料やそれらを組み合わせたもの等、またはそれらの表面に化粧板を貼ったもの、あるいはその他の材料で形成することができる。
【００４９】
（作  用）
図２及び図３を主に参照しながら、転倒防止家具Ａの作用を説明する。
なお、図２において、符号(I)は転倒防止家具Ａの通常の設置状態を示し、符号(II)は前方へ傾いた状態を示し、符号(III)はバランスを取り戻して真っ直ぐに起立した状態を示す。
【００５０】
通常、転倒防止家具Ａは、他の収容家具と同様に、背面部１３を壁面Ｂに本質的に当接した状態で設置される（図２(I)の状態）。この状態では、図３(ａ)に示すように、隙間閉塞体３の変形性閉塞部３２は変形しておらず、変形性閉塞部３２によって箪笥本体１と床面Ｇとの間に隙間が形成されない。したがって、箪笥本体１の下方に下方にゴミや埃が入り込んで溜まってしまうということはなく、またゴキブリやネズミ等の巣になることも防止される。
【００５１】
更に図３(ａ)に示すように、転倒防止家具Ａの通常の設置状態では、車輪２は床面Ｇとは接触していない。よって、通常の設置状態では、車輪２が転動する恐れがないので、箪笥本体１が前にずれ動くような可能性もなく、転倒防止家具Ａの安全性が高い。
【００５２】
そして、地震の発生等により建物が揺れると、転倒防止家具Ａは壁面Ｂから弾かれるようにして前方に傾く（図２(II)の状態）。これにより、転倒防止家具Ａの重心が前方に移動して、図３(ａ)に示す隙間閉塞体３を含む転倒防止家具Ａの底部前方側に荷重がかかる。そうすると、隙間閉塞体３の変形性閉塞部３２が床面Ｇに強く当接して（圧力がかかることで）変形し、それによって車輪２が床面Ｇに当接し、転動可能になる。
【００５３】
これにより、転倒防止家具Ａ（重心の位置が車輪２の支点位置を越えない範囲において傾いた転倒防止家具Ａ）の下部は、傾くことで前方に移動した上部に追従して前方へ移動し、バランスの取れた状態に戻ろうとする。このようにして、転倒防止家具Ａは転倒が防止される。
【００５４】
なお、本実施例では、隙間閉塞体３の一部である変形性閉塞部３２を変形可能に形成しているが、隙間閉塞体３全体を変形可能に形成することもできる。隙間閉塞壁３１を形成する材料として、ポリウレタンフォーム等の変形性を有する合成樹脂を挙げることができる。
【００５５】
また図示はしていないが、箪笥本体１の底部側に設けてある少なくとも車輪２，２と隙間閉塞体３を備えた構成部材を転倒防止装置として、箪笥本体１に着脱自在に取り付けできるように構成することもできる。
具体例としては、例えば図１に示す台輪４、車輪２,２、隙間閉塞体３を同じ天板（図示省略）に固定して転倒防止装置を構成し、この天板を箪笥本体１の底板１４に取り付ける。天板と箪笥本体１の取り付け方としては、天板と箪笥本体１を接続するためのダボ等の接続手段や、ネジやビス等の締付固定具等といった公知の技術が好適に採用できる。
なお、この転倒防止装置についは、後述する実施例２及び実施例３の転倒防止家具についても適用できる。
【００５６】
上記した構造を採用すれば、今まで使用していた既存の家具に転倒防止装置を取り付けて転倒防止家具とすることができ、愛着のある既存の家具を引き続き使用することができるという利点がある。
【実施例２】
【００５７】
図４は、本考案に係る転倒防止家具Ａの第２の実施例を説明するための図であって、車輪を含む底部前方側を拡大した側面視断面説明図である。
そのうち、図４(ａ)は転倒防止家具が前方に傾いていない通常の設置状態を示しており、図４(ｂ)は転倒防止家具が前方に傾いた状態を示している。
【００５８】
なお、実施例１と同一または同等箇所には同一の符号を付して示している。また、実施例１で説明した箇所については、説明を省略し、主に相異点を説明する。これについては、後述する実施例３と同じである。
【００５９】
本実施例に係る転倒防止家具では、隙間閉塞体３を構成する変形性閉塞部３２ａを取り外すことができるように構成されている。即ち、図４(ａ)に示すように、変形性閉塞部３２ａは、側面視Ｌ形状の掛止部であるフック３３，３４により、隙間閉塞壁３１、右側壁部４３及び左側壁部４２（隠れて表れず）に着脱可能（取り外し可能）に掛止されている。
【００６０】
フック３３は、Ｌ形状に曲げてある先部側が隙間閉塞壁３１の外方（前面側）に向くように配置され、他端側が隙間閉塞壁３１の背面（内面）に木ねじ等の締付固定具３３１で固定されている。また、右側壁部４３に設けてあるフック３４も同様に、先部側が右側壁部４３の外方に向けてあり、他端側が右側壁部４３の内面に木ねじ等の締付固定具３４１で固定されている。これについては、左側壁部４２に設けてあるフック３４（図示省略）についても同じである。
このフック３３，３４の位置と数は特に図示のものに限定するものではなく、変形性閉塞部３２ａの大きさや長さに応じて適宜設定される。
【００６１】
変形性閉塞部３２ａは、実施例１と同様に、ポリウレタンフォーム等の変形性を有する合成樹脂によって主に形成されている。そして、上記したフック３３に掛止できるように、少なくともフック３３に掛止される部分に、掛止受部である引掛部３２１を有している。
【００６２】
本実施例では、変形性閉塞部３２ａは、上面側、底面側、及び外方の側面側に被せて設けてある断面略「コ」状のカバー３２２を有する。このカバー３２２の一部の上面側によって、上記した引掛部３２１が構成されている。カバー３２２は、変形性閉塞部３２と同様に、荷重がかかることで変形する変形性を有する素材で形成されている。
【００６３】
例えば、カバー３２２に荷重がかかることで、カバー３２２が割れたり、潰れたり、破損したりするものが好適に使用できる。具体的には、プラスチックや紙製材料でカバー３２２を薄板状またはシート状に形成したり、柔軟性を有する合成樹脂やゴム（天然ゴム、合成ゴムを問わない）等で形成することもできる。
【００６４】
（作  用）
本実施例に係る転倒防止家具Ａは、次のように作用する。
地震の発生等により、転倒防止家具Ａが前方に移動すると、図４(ｂ)に示すように、表面のカバー３２２と共に、隙間閉塞体３の変形性閉塞部３２ａが床面Ｇに強く当接して変形する。これにより、実施例１と同様、車輪２が床面Ｇに当接して転動し、転倒防止家具Ａの転倒が防止される。
【００６５】
更に図示はしていないが、本実施例では、図４(ａ)に示す通常の設置状態から、変形性閉塞部３２ａを前方に引っ張ることで、隙間閉塞体３のフック３３，３４から変形性閉塞部３２ａを取り外すことができる。隙間閉塞体３から取り外せば、箪笥本体１を前方に斜めに傾けた状態で、車輪２を転動させながら、転倒防止家具Ａを別の場所へ移動させることができる。
【００６６】
したがって、部屋の配置換えが引っ越し時の転倒防止家具の移動が少ない労力で容易にできる。しかも、変形性閉塞部３２ａは取り外せるので、床面の埃で変形性閉塞部３２が汚れることもなく、また変形性閉塞部３２ａで床面を傷つけることもない。
【００６７】
なお、その他の構成及び作用は、実施例１と大体において同じであるため、説明を省略する。
【実施例３】
【００６８】
図５は、本考案に係る転倒防止家具Ａの第３の実施例を説明するための図であって、転倒防止家具の車輪を含む底部前方側を拡大した側面視断面説明図。
そのうち、図５(ａ)は転倒防止家具が前方に傾いていない通常の設置状態を示しており、図５(ｂ)は転倒防止家具が前方に傾いた状態を示している。
【００６９】
本実施例に係る転倒防止家具では、図５(ａ)(ｂ)に示すように、箪笥本体１が前方に傾くと同時に、隙間閉塞体３ａが床面から上方に移動することで、車輪２が転動可能になることを隙間閉塞体３ａが妨げないように構成されている。以下、その詳細を説明する。
【００７０】
図５(ａ)に示す隙間閉塞体３ａは平面視略「コ」状に形成されており、箪笥本体１の底部前方側に配置されている。隙間閉塞体３ａは、木製の板体を組み合わせて形成されている。
【００７１】
なお、隙間閉塞体３ａを木製の板体以外の材料で形成することもできる。例えばプラスチック、硬質ゴム、金属材料やそれらを組み合わせたもの等、またはそれらの表面に化粧板を貼ったもの、あるいはその他の材料で形成することができる。
【００７２】
隙間閉塞体３ａは、箪笥本体１の底部前方側の幅方向に沿って設けてある前壁部３５と、箪笥本体１の奥行き方向に沿って設けてある右壁部３６及び左壁部（図示省略）を有している。
【００７３】
一方、台輪４の右側壁部４３ａは、実施例１と相違して、先端部４３２が上記前壁部３５の側方までではなく（実施例１では、図３(ａ)に示すように右側壁部４３の先端部は隙間閉塞壁３１の側部に連結）、車輪２のやや後部側に位置するように形成されている。
【００７４】
そして、台輪４の右側壁部４３ａの前方側であって、右側壁部４３ａと隣接するようにして上記した隙間閉塞体３の右壁部が位置している。なお、隙間閉塞体３ａの左壁部（図示省略）と、台輪４の左側壁部４２（図５では表れない）の位置関係は、右側壁部４３ａと同じである。
【００７５】
更に箪笥本体１の底部である底板１４には、隙間閉塞体３ａの上部を嵌め入れ可能な溝１４１が設けてある。この溝１４１は、隙間閉塞体３ａの形状に合わせ、平面視略「コ」状に形成されている。更に隙間閉塞体３ａの前壁部３５は、その上部側前方に側面視Ｌ形状の切欠部３５１を有している。この切欠部３５１に、前壁部３５を含む隙間閉塞体３ａが上記溝１４１に沿って上方に移動することを抑制する移動抑制部材３７が嵌め入れられている。
【００７６】
移動抑制部材３７は、切欠部４３１と箪笥本体１の底板１４の底面部１４２の間に上下方向から挟まれるようにして取り付けある。そうして、地震発生時の揺れ等によって転倒防止家具Ａの重心が前方に移動し、ある一定以上の荷重が転倒防止家具Ａの底部前方側にかかると、上下方向から押されて、図５(ｂ)に示すように切欠部４３１から移動抑制部材３７が外れるようになっている。
【００７７】
移動抑制部材３７は、例えば発泡ポリスチレン等の発泡合成樹脂、プラスチック等で形成することができる。その場合、移動抑制部材３７を隙間閉塞体３と同じ色で塗装することが好ましい。移動抑制部材３７の強度は、転倒防止家具Ａの重量及び地震発生時に底部前方側にかかる荷重等を考慮して適宜設定される。
【００７８】
移動抑制部材３７の形状は特に限定するものではない。図５(ａ)に示すように、軽量化を図るため、断面略「コ」状に形成することもできるし、中実に形成することもできる。また移動抑制部材３７は、切欠部４３１から外れるときに変形しても良い。
【００７９】
（作  用）
本実施例に係る転倒防止家具は、次のように作用する。
地震発生時の揺れ等によって、図５(ａ)に示す状態から転倒防止家具の重心が前方に移動すると、切欠部３５１の移動抑制部材３７に荷重がかかり、切欠部３５１から移動抑制部材３７が外れる。更にそれと同時に、隙間閉塞体３ａが溝内を摺動して上方に移動する。隙間閉塞体３ａが上方に移動することで、箪笥本体１が前方に傾き、車輪２が転動可能になる。その結果、転倒防止家具Ａは転倒が防止される。
【００８０】
また本実施例とは相違して、移動抑制部材３７を使用せずに、圧縮コイルバネ等の付勢手段を使用して隙間閉塞体３ａの移動を抑制することもできる。例えば、上記溝１４１の内部や切欠部４３１で形成される隙間に圧縮コイルバネを取り付け、圧縮コイルバネが受ける圧縮荷重に対して生じる応力（反発力）によって、隙間閉塞体３ａの上方への移動を抑制することもできる。
【００８１】
なお、本実施例では、転倒防止家具の底部前方側に荷重がかかることで、移動抑制部材３７が外れるように構成されているが、隙間閉塞体３ａ全体を発泡ポリスチレン等の発泡合成樹脂で形成することで、隙間閉塞体３ａ全体が箪笥本体１から外れるように構成することもできる。
【００８２】
またその他の構成及び作用は、実施例１と大体において同じであるため、説明を省略する。
【００８３】
本明細書で使用している用語と表現はあくまで説明上のものであって、限定的なものではなく、上記用語、表現と等価の用語、表現を除外するものではない。また、本考案は図示の実施例に限定されるものではなく、技術思想の範囲内において種々の変形が可能である。
【００８４】
更に、実用新案登録請求の範囲には、請求項記載の内容の理解を助けるため、図面において使用した符号を括弧を用いて記載しているが、実用新案登録請求の範囲を図面記載のものに限定するものではない。
【図面の簡単な説明】
【００８５】
【図１】本考案に係る転倒防止家具Ａの第１の実施例を示す斜視説明図。
【図２】転倒防止家具が前方に傾いた状態の作用を説明する側面視概略説明図。
【図３】転倒防止家具の車輪を含む底部前方側を拡大した側面視断面説明図。
【図４】本考案に係る転倒防止家具の第２の実施例を説明するための図であって、転倒防止家具の車輪を含む底部前方側を拡大した側面視断面説明図。
【図５】本考案に係る転倒防止家具の第３の実施例を説明するための図であって、転倒防止家具の車輪を含む底部前方側を拡大した側面視断面説明図。
【符号の説明】
【００８６】
Ａ 転倒防止家具
１ 箪笥本体
２ 車輪
３，３ａ 隙間閉塞体
４ 台部材
１１ 扉
１２ 引き出し
１３ 背面部
１４ 底板
２１ 締付固定具
３１ 隙間閉塞壁
３２，３２ａ 変形性閉塞部
３３ フック
３５ 前壁部
３６ 右壁部
３７ 移動抑制部材
４１ 前壁部
４２ 左側壁部
４３，４３ａ 右側壁部
４４ 後壁部
１４１ 溝
１４２ 底面部
３１１ 下端部
３２１ 引掛部
３２２ カバー
３３１ 締付固定具
３４１ 締付固定具
３５１ 切欠部
４２１，４３１ 切欠部
４３２ 先端部
【図１】
0003122069.tif 000003
【図２】
0003122069.tif 000004
【図３】
0003122069.tif 000005
【図４】
0003122069.tif 000006
【図５】
0003122069.tif 000007